(57)【要約】      （修正有）【課題】従来、オゾンによる脱臭殺菌を行う装置は、多目的用途に対応できるものがなかった。本考案は脱臭殺菌を必要とする様々な物と空間を一つのオゾン発生器機ユニットで脱臭殺菌することを可能にする。【解決手段】本考案はボックス２の中に対象物を入れてボックス扉６を閉め、扉固定金具５をロックし、スイッチ４を入れると、オゾンを含む空気が接続ホース１１を経由して、接続ホース差込口からボックス２内に放出され脱臭殺菌を行う。棚板７の着脱により、様々なサイズの物が収納できる。さらに音声マイク専用スタンド８に音声マイクを設置してボックス２の中に入れて音声マイクの脱臭殺菌を行う。室内・車内等の空間の場合はオゾン発生装置１と、三脚が一体となったオゾン拡散器１３を使用する。三脚１２により異なる室内・車内の高さに自由に合わせて調整して固定でき、オゾン放出口１４はオゾンを含む空気を広範囲に拡散し脱臭殺菌を行う。【選択図】図１
0003115640.tif 000002
【実用新案登録請求の範囲】
【請求項１】
プラスチック製の左右上下計四面の板と背面の板から形成されるボックスで、前面に透明の開閉扉をもち、その扉には開閉が楽な取っ手と扉を閉めて固定できる金具を備えてあり、ボックス内には取り外し可能な棚板を備え、その着脱により靴、長靴、スリッパ等の履物、衣類、運動着、武道着、おむつ等その他様々な物を収納でき、背面の板にオゾンを含む空気の取り入れ口を設けてあり、その取り入れ口とオゾン発生器・エアーポンプ・タイマーを備えたオゾン発生装置を取り外し可能な接続ホースで接続し、ボックス内にオゾンを含む空気を送り込むことで様々な物の脱臭殺菌を行うオゾン脱臭殺菌ユニット
【請求項２】
プラスチック製で、底板と天板を四本の柱で固定してあり、天板は収納する音声マイクの数の円形のくり貫き加工が施してあり、それらの部分に音声マイクを立てた状態で差し込み設置して、ボックスに収納して前記請求項１記載の方法で脱臭殺菌を行う音声マイク専用スタンドを備えたオゾン脱臭殺菌ユニット
【請求項３】
高さを自由に設定できる伸縮可能な三脚の上部に、オゾンを広範囲に拡散できるノズルを取り付けたオゾン拡散器とオゾン発生器・エアーポンプ・タイマーを備えたオゾン発生装置を取り外し可能な接続ホースで接続し、オゾンを含む空気をノズル先端から放出して室内・車内等様々な空間の脱臭殺菌を行うオゾン脱臭殺菌ユニット
【考案の詳細な説明】
【技術分野】
【０００１】
本案は、一つのオゾン発生器機ユニットで、様々な物と空間の脱臭殺菌を可能にする器具装置やボックスに関するものである。
【背景技術】
【０００２】
【特許文献１】特開平０９−６５９４０号公報
【考案の開示】
【考案が解決しようとする課題】
【０００３】
従来のこの種の装置は、一つの目的にしか使用できないので使用目的が複数ある場合、利用者は使用目的に合わせて複数の装置の導入を必要とし、コストがかかる上、管理も複雑になり大変であった。
【０００４】
そこで本考案は、従来なかった脱臭殺菌を必要とする靴、長靴、スリッパ等の履物、衣類、運動着、武道着、おむつ、音声マイク、室内、車内等様々な物と空間を一つのオゾン発生器機ユニットで脱臭殺菌することを可能にし、利用者の経済的負担、便利さ、衛生面において貢献できるオゾン脱臭殺菌ユニットを提供することを目的としたものである。
【課題を解決するための手段】
【０００５】
ボックス２内の棚板７を着脱することで、サイズの異なるスリッパ、靴、長靴等の履物、衣類、運動着、武道着、オムツ等を収納し脱臭殺菌を行い、棚板７を外して音声マイク専用スタンド８に音声マイクを設置してボックス２の中に入れて脱臭殺菌を行う。
【０００６】
スイッチ４を入れることでエアーポンプ１６より空気がオゾン発生器１７を経由してオゾンを発生させ、オゾン含む空気が接続ホース１１を経由して差込口９を通りボックス２内に放出され、脱臭殺菌を行う。
【０００７】
室内・車内等の空間の場合はオゾン発生装置１とオゾン拡散器１３を使用する。接続ホース１１を差し替え、室内・車内の最良の高さ、位置にオゾン放出口１４が設定できるようにオゾン拡散器の三脚１２を伸縮して最良の位置に固定する。また、エアコンを運転させることでエアコン内の脱臭殺菌及び、対象空間のオゾンの循環効率を上げることができる。
【０００８】
オゾン発生スイッチ４を入れることでエアーポンプ１６より空気がオゾン発生器１７を経由してオゾンを発生させ、オゾンを含む空気が接続ホース１１を経由してオゾン拡散器１３を通り、オゾン放出口１４より室内・車内等の空間へ拡散放出され脱臭殺菌を行う。
【０００９】
対象物の広さ、大きさ、効力、安全性については、タイマー１５による処理時間の調整とオゾン発生器１７、エアーポンプ１６の処理能力を調整することで確保する。
【考案の効果】
【００１０】
本考案は、上述の構成によって、様々な物と空間のオゾンによる脱臭殺菌を一つのオゾン発生器機ユニットで行うことを可能にし、従来の装置にくらべて低コストでありながら多目的に対応でき、持ち運びがらくであり、接続ホースの差し替えだけで手軽に使用目的を変更できる。
【考案を実施するための最良の形態】
【００１１】
オゾン発生器・エアーポンプ・タイマーを備えたオゾン発生装置には持ち運びがらくに出来るよう取っ手を付け、コンパクトにし、処理時間もタイマーで自由に設定できる。
【００１２】
ボックスについては、一台のオゾン発生装置を他の目的に使用できるよう、従来の装置のように、ボックス内に設置せず、ボックス背面のオゾンの取り入れ口よりオゾンを含む空気を取り入れるようにした。
【００１３】
オゾン拡散器は室内・車内等の様々な空間の高さに対応できるよう三脚を備え、手軽に場所を変えて使用できるようコンパクトにした。
【実施例】
【００１４】
以下、添付図面に従って一実施例を説明する。ボックス２は持ち運びやすさを重視したプラスチック製とし、ボックス扉６はボックス内部が確認できるように透明にした。
【００１５】
棚板７を、対象物の大きさに合わせて着脱し、ボックス２内に対象物を入れて、ボックス扉６を閉め扉固定金具５をロックし、スイッチ４を入れると、始動ランプ３が点灯し、オゾンを含む空気がオゾン発生装置１より接続ホース１１を経由してボックス２の背面の接続ホース差込口９からボックス２内に放出され脱臭殺菌を行う。
【００１６】
室内・車内等の空間の場合は、オゾン発生装置１とオゾン拡散器１３を使用する。三脚１２と一体となるオゾン拡散器１３に接続ホース１１を差し替え装着して、オゾン放出口１４が最良の位置になるよう三脚を伸縮して固定する。車の場合はウインド部からオゾン放出口１４を車内に入れ、ウインドを閉める。スイッチ４を入れると、オゾンを含む空気がオゾン発生装置１より接続ホース１１を経由して、オゾン拡散器１３を通りオゾン放出口１４より拡散放出して脱臭殺菌を行う。
【図面の簡単な説明】
【００１７】
【図１】脱臭殺菌ボックス、オゾン発生装置、音声マイク専用スタンドの立体図とオゾン拡散器の平面図とオゾン放出口先端の拡大図である。
【図２】脱臭殺菌ボックス背面の平面図とオゾン発生装置内部側面の平面図である。
【符号の説明】
【００１８】
１  オゾン発生装置
２  脱臭殺菌ボックス
３  始動ランプ
４  スイッチ
５  扉固定金具
６  ボックス扉
７  棚板
８  音声マイク専用スタンド
９  ボックス側接続ホース差込口
１０  接続ホース差込口
１１  接続ホース
１２  三脚
１３  オゾン拡散器
１４  オゾン放出口
１５  タイマー
１６  エアーポンプ
１７  オゾン発生器
１８  取っ手
【図１】
0003115640.tif 000003
【図２】
0003115640.tif 000004